(57)【特許請求の範囲】
【請求項１】
小口寸法を通常の折丁より長くした変形折丁を開きたい折丁の隣に丁合した状態で綴じ合わせてなる折丁群を貼込装置に搬入し、貼込装置内にて折丁群を搬送しながら、折丁群における変形折丁の飛び出した小口部分にオープナーのガイドを当てがって所定頁を開き、開いた所定頁に糊付けを行ってから扁平状物品を貼り込むことを特徴とする扁平状物品の貼込方法。
【請求項２】
小口寸法を通常の折丁より長くした変形折丁を開きたい折丁の隣に丁合した状態で綴じ合わせてなる折丁群をベルトコンベヤーに供給するフィーダーと、折丁群における変形折丁の飛び出した小口部分に当てがわれるガイドにより折丁群の所定頁を開くオープナーと、開いた所定頁に糊付けを行う糊付け部と、その頁に扁平状物品を供給するフィーダーと、開いた頁を閉じる閉じ部とを備えたことを特徴とする貼込装置。
【発明の詳細な説明】
【０００１】
【産業上の利用分野】
本発明は、コンパクトディスク（ＣＤ）やフロッピーディスク（ＦＤ）を始めとする平らな形状をした扁平状物品を雑誌等に貼り込むための貼込方法及びそれに使用する貼込装置に関する。
【０００２】
【従来の技術】
従来、雑誌等の付録としてＣＤやＦＤを添付する場合、これらを厚紙やビニール袋などのパッケージに収納し、このパッケージを書籍のページ間に挟み込んで販売形態とすることが一般的に行われている。しかしながら、この形態では搬送中や店頭での販売時に簡単に外れてしまうことから、最近では巻頭や巻末に綴じ込んだ形態の平綴本や無線綴本が販売されている。
【０００３】
【発明が解決しようとする課題】
ところで、中綴本は、折丁をギャザリングチェーンのサドル掛けに落下させて丁合し、ステッチャーで綴じてから三方断裁機で化粧断ちすることで製本されるので、上記の如きパッケージを製本工程で自動的に綴じ込むことができない。したがって、従来は手作業で出来本の所定頁に貼り付けているのが現状である。
【０００４】
本発明は、上記のような事情に鑑みてなされたものであり、その目的とするところは、扁平状製品を雑誌等の所定頁に自動的に貼り込むことのできる貼込方法及びそれに使用する貼込装置を提供することを目的としている。
【０００５】
【課題を解決するための手段】
上記目的を達成するために、本発明に係る扁平状物品の貼込方法は、小口寸法を通常の折丁より長くした変形折丁を開きたい折丁の隣に丁合した状態で綴じ合わせてなる折丁群を貼込装置に搬入し、貼込装置内にて折丁群を搬送しながら、折丁群における変形折丁の飛び出した小口部分にオープナーのガイドを当てがって所定頁を開き、開いた所定頁に糊付けを行ってから扁平状物品を貼り込むことを特徴とするものである。
【０００６】
また、本発明に係る扁平状物品の貼込装置は、小口寸法を通常の折丁より長くした変形折丁を開きたい折丁の隣に丁合した状態で綴じ合わせてなる折丁群をベルトコンベヤーに供給するフィーダーと、折丁群における変形折丁の飛び出した小口部分に当てがわれるガイドにより折丁群の所定頁を開くオープナーと、開いた所定頁に糊付けを行う糊付け部と、その頁に扁平状物品を供給するフィーダーと、開いた頁を閉じる閉じ部とを備えて構成される。
【０００７】
【作用】
上述の構成からなる本発明の貼込方法及び貼込装置では、折丁群における変形折丁の飛び出した小口部分にガイドを当てがって所定頁を開き、この開いた所定頁に扁平状物品を自動的に貼り込む。したがって、企画段階で折丁の小口寸法を設定するだけで所定頁への貼込が可能となる。
【０００８】
【実施例】
以下、図面を参照して本発明の実施例について説明する。
【０００９】
図１は貼込装置を備えた中綴本生産ラインを示す概略構成図である。
【００１０】
図中１は所定台数のフィーダーとその下を走るギャザリングチェーンとからなる丁合機で、各フィーダーにセットされた折丁をギャザリングチェーンのサドル掛けに丁合を取りながら落下させて搬送する。２は丁合した折丁群の厚みを検知するキャリパー、３は丁合した折丁群を針金で綴じるステッチャー、４は綴じ合わされた折丁群を前記ギャザリングチェーン上から縁切って、後述する貼込装置の搬送コンベアに移すタッカーである。５はタッカー４の後にインラインで接続された貼込装置で、フィーダー５１、オープナー５２、糊付け部５３、ＣＤのフィーダー５４、閉じ部５５から構成されている。６は貼込装置５の後に接続された三方断裁機である。
【００１１】
丁合機１においては、片方の小口寸法を通常の折丁より長くした変形折丁ａを所定のフィーダーにセットしておくことで、図２に示すようにこの変形折丁ａを開きたい折丁の隣（図では手前）に丁合する。このように丁合された折丁群Ａは、キャリパー２を経てステッチャー３により綴じ合わされ、タッカー４を経て貼込装置５に搬入される。搬入された折丁群Ａは、フィーダー５１により１つずつベルトコンベヤーで搬送されてオープナー５２に搬送される。オープナー５２は図３に示すようにガイド５２ａによる方式が採用されており、綴じ合わされた折丁群Ａにおける変形折丁ａの飛び出した小口部分ｆにこのガイド５２ａが当てがわれて左に搬送されることでガイド５２ａが頁の間に差し込まれ、図３及び図４に示す如く指定頁が開くようになっている。開いた後は、続く糊付け部５３においてその頁に糊７を塗布し、シャトル式のフィーダー５４に積まれた袋入りＣＤ８を供給して貼り合わせ、開いた頁を閉じ部５５で閉じてから三方断裁機６に送り、ここで仕上げ断ちをする。
【００１２】
なお、上記実施例では袋入りＣＤを雑誌の頁間に貼り込む場合を例に挙げて説明を行ったが、ＦＤについても同様して貼込を行うことができる。また、扁平な形状をした試供品、例えば厚紙に形成した凹部に口紅等の化粧品を充填してフィルムで蓋をしたような試供品を広告頁に貼り込むような場合にも適用できる。また、扁平状をした各種のサンプル、カード類等の貼込にも適用できる。
【００１３】
また、上記実施例では中綴生産ラインに貼込装置をインラインで組み込んだが、この貼込装置は独立したオフラインでも使用できる。また、平綴機のカバラーと三方断裁機の間にインラインで接続すれば、同様にして扁平状物品を自動的に貼り込むことができる。
【００１４】
【発明の効果】
本発明は上述のように構成されているので、次に記載する効果を奏する。
【００１５】
請求項１記載の貼込方法によれば、小口寸法を通常の折丁より長くした折丁を準備するだけで、この折丁を綴じ込んだ折丁群における飛び出したラップの部分をオープナーのガイドで当てがって所定頁を開き、この開いた頁に扁平状物品を貼り込むことができることから、任意の頁に扁平状物品を自動的に貼り込むことができる。
【００１６】
請求項２記載の貼込装置は、既設の中綴機のタッカーと三方断裁機の間を改造するか、或いは平綴機のカバラーと三方断裁機の間を改造するだけでインラインでの取付けが可能となる。
【図面の簡単な説明】
【図１】貼込装置を備えた中綴生産ラインを示す概略構成図である。
【図２】本発明で使用する折丁群の説明図である。
【図３】オープナーでの頁開きの過程を示す説明図である。
【図４】オープナーでの頁開きの状態を示す説明図である。
【符号の説明】
５  貼込装置
５１  フィーダー
５２  オープナー
５３  糊付け部
５４  フィーダー（扁平状物品の）
５５  閉じ部
ａ  変形折丁
ｆ  小口部分
【図１】
0003633661.tif 000002
【図２】
0003633661.tif 000003
【図３】
0003633661.tif 000004
【図４】
0003633661.tif 000005